(57)【特許請求の範囲】
【請求項１】
複数の端子部が一列に設置されている端子台における短絡事故を防止するための短絡防止カバーであって、
３つの矩形状開口を所定の間隔をもって並べて設けてある絶縁性の板状体と、
該板状体の上縁部又は下縁部の近傍に、前記板状体を前記端子台の前面に一時的に保持させる永久磁石を備え、
前記３つの矩形状開口のうちの中央の矩形状開口は前記端子部の１つと同等の幅を有し、他の矩形状開口の幅は前記中央の矩形状開口の幅の１．２倍より大きい
ことを特徴とする短絡防止カバー。
【請求項２】
前記板状体の上縁部又は下縁部は平面部分を有し、
前記永久磁石は前記平面部分に１又は複数設置されている
ことを特徴とする請求項１に記載の短絡防止カバー。
【請求項３】
前記板状体の上縁部又は下縁部は平面部分を有し、
該平面部分に沿って突条部が設けられ、
前記永久磁石は前記突条部に１又は複数設置されている
ことを特徴とする請求項１に記載の短絡防止カバー。
【発明の詳細な説明】
【技術分野】
【０００１】
本発明は、電力量計等の端子台における短絡事故を防止するための短絡防止カバーに関する。
【背景技術】
【０００２】
電力量計等の低圧電気計器は、住宅や事業所等に設置され、屋外からの引き込み線等を通して給電された電力を常時計測している。
また、低圧電気計器は電力料金算定に用いられるため、正確に電力量を計測できることが求められ、一定期間ごとに検定を受けた新品又は整備品と交換している。
この交換は、低圧電気計器の電源側端子及び負荷側端子に接続された全ての電線を取外して行われるが、通常は電源側及び負荷側の電線を活線状態としたままで交換作業が行われている。
そのため、電源側及び負荷側端子において電線の先端を押圧している端子ねじを緩めて電線を取り外す際に、作業者の持つドライバー等の工具の先端が滑って隣接する他の電線の端子ねじに接触することにより、短絡事故を生じる可能性がある。
【０００３】
そこで、特許文献１（特許第４５４９７９１号公報）に記載されるように、複数の端子部の１つに相当する大きさの作業用開口を少なくとも１つ有する短冊状の透明な板体と、その透明な板体を端子部の列に沿ってスライド可能に案内する案内手段を有する保持具と、その保持具を低圧電気計器の外面の所定位置に装着するための装着手段を備えた低圧電気計器用短絡防止具が知られている。
また、特許文献２（特許第３０４３７５３号公報）には、複数の端子を有する電力量計の接続部に着脱自在に装着され、各端子に臨んで開口する複数の作業孔が形成される電気絶縁性の接続部カバー体と、その接続部カバー体を接続部に保持する保持手段を備えた電力量計の作業用カバー装置が記載されている。
【先行技術文献】
【特許文献】
【０００４】
【特許文献１】特許第４５４９７９１号公報
【特許文献２】特許第３０４３７５３号公報
【発明の概要】
【発明が解決しようとする課題】
【０００５】
しかし、特許文献１に記載されている低圧電気計器用短絡防止具は、作業用開口を有する透明な板体と、その透明な板体をスライド可能に案内する案内手段を有する保持具と、その保持具を低圧電気計器の所定位置に装着するための装着手段を備えており、構造が複雑な上に透明な板体と案内手段の寸法を正確に合わせる必要があるため、価格が高くなるという問題、ポリカーボネート等の熱膨張率が小さい高価な樹脂を用いなければならないという問題、短絡防止具を構成する部材がバラバラになり組み立てに時間がかかったり一部の部材がなくなったりするという問題等があった。
また、特許文献２に記載されている電力量計の作業用カバー装置は、接続部カバー体を接続部に保持する保持手段が、接続部カバー体の両側面壁に設けられているねじ孔とねじ部で構成されており、構造が複雑な上に接続部に保持させる時ねじ部を回転させなければならないため、価格が高くなるという問題、作業性が悪いという問題、ねじ部を紛失すると使用不能になってしまうという問題等があった。
本発明の課題は、このような問題を解決し、単純な構造ながら使い勝手が良く、様々な材料により製造でき、かつ、一部がなくなって使用不能になってしまうことのない安価な短絡防止カバーを提供することである。
【課題を解決するための手段】
【０００６】
請求項１に係る発明は、複数の端子部が一列に設置されている端子台における短絡事故を防止するための短絡防止カバーであって、３つの矩形状開口を所定の間隔をもって並べて設けてある絶縁性の板状体と、該板状体の上縁部又は下縁部の近傍に、前記板状体を前記端子台の前面に一時的に保持させる永久磁石を備え、前記３つの矩形状開口のうちの中央の矩形状開口は前記端子部の１つと同等の幅を有し、他の矩形状開口の幅は前記中央の矩形状開口の幅の１．２倍より大きいことを特徴とする。
【０００７】
請求項２に係る発明は、請求項１に記載の短絡防止カバーにおいて、前記板状体の上縁部又は下縁部は平面部分を有し、前記永久磁石は前記平面部分に１又は複数設置されていることを特徴とする。
【０００８】
請求項３に係る発明は、請求項１に記載の短絡防止カバーにおいて、前記板状体の上縁部又は下縁部は平面部分を有し、該平面部分に沿って突条部が設けられ、前記永久磁石は前記突条部に１又は複数設置されていることを特徴とする。
【発明の効果】
【０００９】
請求項１に係る発明によれば、板状体の上縁部又は下縁部の近傍に永久磁石を備えているので、端子台の上部又は下部にある金属性の筐体の左右方向における適当な箇所に永久磁石を吸着させるだけで、中央の矩形状開口内に所望の端子部が収まる位置となるように板状体を端子台の前面に一時的に保持させることができる。
また、３つの矩形状開口のうちの中央の矩形状開口は端子部と同等の幅を有し、他の矩形状開口の幅は中央の矩形状開口の幅の１．２倍より大きいため、端子部と端子部の間隔が異なる各種の電力量計等で利用した時において、所望の端子部を中央の矩形状開口内に収まる位置となるように板状体を保持させれば、その隣にある端子部が他の矩形状開口内に収まり易いという効果を奏する。
【００１０】
請求項２に係る発明によれば、請求項１に係る発明による効果に加えて、板状体の上縁部又は下縁部は平面部分を有し、永久磁石はその平面部分に設置されているので、端子台の上部にある金属性の筐体の下面又は端子台の下部にある金属性の筐体の上面に永久磁石を吸着させることによって、板状体を端子台の前面に一時的に保持させることができる。
また、板状体のどちらの面を表側としても、永久磁石を端子台の上部にある金属性の筐体の下面又は端子台の下部にある金属性の筐体の上面に吸着させることができるので作業性に優れている。
さらに、永久磁石を複数設置した場合、永久磁石の磁束密度を抑えることができるので、永久磁石からの磁力線が計器に与える影響を小さくすることができる。
【００１１】
請求項３に係る発明によれば、請求項１に係る発明による効果に加えて、板状体の上縁部又は下縁部は平面部分を有し、その平面部分に沿って突条部が設けられ、永久磁石はその突条部に設置されているので、端子台の上部にある金属性の筐体の上面若しくは下面又は端子台の下部にある金属性の筐体の下面又は上面に永久磁石を吸着させることによって、板状体を端子台の前面に一時的に保持させることができる。
そのため、様々な形態の端子台に対して板状体を保持させることが可能である。
また、永久磁石を複数設置した場合、永久磁石の磁束密度を抑えることができるので、永久磁石からの磁力線が計器に与える影響を小さくすることができる。
【図面の簡単な説明】
【００１２】
【図１】実施例１の短絡防止カバーの斜視図。
【図２】実施例１の短絡防止カバーの正面図。
【図３】実施例１の短絡防止カバーの背面図。
【図４】実施例１の短絡防止カバーの平面図。
【図５】実施例１の短絡防止カバーの底面図。
【図６】実施例１の短絡防止カバーの側面図。
【図７】実施例１の短絡防止カバーを電力量計に取り付けた状態を示す図。
【図８】実施例２の短絡防止カバーの斜視図。
【図９】実施例２の短絡防止カバーを電力量計に取り付けた状態を示す図。
【発明を実施するための形態】
【００１３】
以下、実施例によって本発明の実施形態を説明する。
【実施例１】
【００１４】
実施例１の短絡防止カバーの斜視図、平面図、底面図、正面図、背面図及び側面図を、それぞれ図１〜６に、同短絡防止カバーを電力量計に取り付けた状態の斜視図を図７に示す。
実施例１の短絡防止カバーは、図１、２に示すように、絶縁性のある不透明な白色樹脂製の板状体１に３つの縦長の矩形状開口２〜４と凹部５を設けるとともに、図１、４に示すように、その上縁面６に６個の永久磁石７を等間隔に埋設し、図１に示すように、その左下隅部に穴８をあけ、その穴８に紐９を通して環状にしたものである。
なお、板状体１を構成する絶縁性のある不透明な白色樹脂としては、安価で成形しやすいポリアセタールが適している。
【００１５】
板状体１は長方形状で横１１０ｍｍ、縦３９ｍｍ、厚さ３ｍｍ、板状体１の表面の左側に設けてある凹部５は上下が半円形状の縦長で横１５ｍｍ、縦３０ｍｍ、板状体１の左隅に設けてある穴８は円形で直径２ｍｍ、紐９は長さ２０ｃｍである。
また、矩形状開口２〜４は板状体１の中央から右方向に４ｍｍの間隔をもって並べてあり、いずれも縦２３ｍｍで下辺は板状体１の下縁より３ｍｍ上に位置している。
そして、中央の矩形状開口３は横９ｍｍ、左右の矩形状開口２，４は横１４ｍｍとなっており、中央の矩形状開口３の横幅は端子部１１〜１３の横幅とほぼ同じ、左右の矩形状開口２，４の横幅は端子部１１〜１３の横幅よりかなり大きく設定されている。
【００１６】
板状体１を端子台１０の前面に保持させるための６個の永久磁石７は、直径３ｍｍ、長さ４ｍｍの円筒形ネオジウム磁石であり、上縁面６の右端から約１ｃｍ〜８ｃｍのエリアにほぼ等間隔で埋設され、その表面は上縁面６とほぼ面一となっている。
円筒形ネオジウム磁石の表面磁束密度は４００ｍＴであったが、この程度の磁束密度であれば電力量計の計測結果に影響が生じないことを確認した。
【００１７】
電力量計の交換に際して実施例１の短絡防止カバーを使用する手順は次のとおりである。
（１）交換作業を行う電力量計の端子台１０の前面に取り付けられているカバー（図示せず）を外し、端子部１１〜１３等を露出させる（通常は左側の電源側端子と右側の負荷側端子に、それぞれ３個の端子部が設置されている）。
（２）板状体１を両手で持ち負荷側端子に設置されている中央の端子部１２が中央の矩形状開口３に収まるように左右位置を調整する。
なお、凹部５に左手の親指の腹を位置させれば、板状体１をしっかり把持できるので位置調整がし易い。
（３）板状体１の上縁面６を電力量計の上部筐体の下面１４に近づけ、永久磁石７の磁力により上縁面６を上部筐体の下面１４に吸着させ両手を離す（図７の状態）。
（４）負荷側端子に設置されている端子部の端子ねじ１５を緩め電線１６を取り外す。
（５）紐９を引っ張り、上縁面６を上部筐体の下面１４から離して板状体１を取り外す。
【００１８】
（６）板状体１を両手で持ち電源側端子に設置されている中央の端子部（図示せず）が中央の矩形状開口３に収まるように左右位置を調整する。
（７）板状体１の上縁面６を電力量計の上部筐体の下面１４に近づけ、永久磁石７の磁力により上縁面６を上部筐体の下面１４に吸着させ両手を離す。
（８）電源側端子に設置されている端子部の端子ねじ（図示せず）を緩め電線１６を取り外す。
（９）紐９を引っ張り、上縁面６を上部筐体の下面１４から離して板状体１を取り外す。
【００１９】
（１０）古い電力量計を取り外し新しい電力量計を設置する。
（１１）新しい電力量計の端子台の前面に取り付けられているカバー（図示せず）を外し、端子部を露出させる。
（１２）板状体１を両手で持ち電源側端子に設置されている中央の端子部（図示せず）が中央の矩形状開口３に収まるように左右位置を調整する。
（１３）板状体１の上縁面６を電力量計の上部筐体の下面１４に近づけ、永久磁石７の磁力により上縁面６を上部筐体の下面１４に吸着させ両手を離す。
（１４）電源側端子に設置されている端子部の端子ねじ（図示せず）を緩め電線１６を差し込んだ後、端子ねじを締めて電線１６を固定する。
（１５）紐９を引っ張り、上縁面６を上部筐体の下面１４から離して板状体１を取り外す。
【００２０】
（１６）板状体１を両手で持ち負荷側端子に設置されている中央の端子部１２が中央の矩形状開口３に収まるように左右位置を調整する。
（１７）板状体１の上縁面６を電力量計の上部筐体の下面１４に近づけ、永久磁石７の磁力により上縁面６を上部筐体の下面１４に吸着させ両手を離す。
（１８）負荷側端子に設置されている端子部の端子ねじ１５を緩め電線を差し込んだ後、端子ねじ１５を締めて電線１６を固定する（図７の状態）。
（１９）紐９を引っ張り、上縁面６を上部筐体の下面１４から離して板状体１を取り外す。
（２０）新しい電力量計の端子台１０の前面にカバーを取り付ける。
【００２１】
なお、短絡防止カバーは作業者の持つドライバー等が隣接する他の電線の端子ねじに接触しないようにすることを主目的としているが、作業箇所を限定できるので作業し易くなるという効果も奏し、その効果は不透明な短絡防止カバーを使用した時の方が高い。
【実施例２】
【００２２】
実施例２の短絡防止カバーの斜視図を図８に、同短絡防止カバーを電力量計に取り付けた状態の斜視図を図９に示す。
実施例２の短絡防止カバーは、図８に示すように、不透明な白色樹脂の板状体２１に３つの縦長の矩形状開口２〜４と凹部５を設けるとともに、その下縁部２２に沿って突条部２３を設け、その突条部２３の上面側から６個の永久磁石７を等間隔に埋設し、その左上隅部に穴２４をあけ、その穴２４に紐９を通して環状にしたものである。
実施例２の短絡防止カバーは、短絡防止カバーの下縁部２２に沿って突条部２３を設け、永久磁石７をその突条部２３の上面側に埋設してある点と、板状体２１の左上隅部に穴２４をあけてある点で実施例１とは異なっている。
そのため、実施例１と共通する構成については、図８、９においても同じ番号を付し、材質や寸法等の説明は省略する。
【００２３】
下縁部２２に沿って設けられている突条部２３は長さ１１０ｍｍ、縦５ｍｍ、厚さ３ｍｍであり、板状体２１と一体的に成型される。
そして、６個の永久磁石７が突条部２３の右端から約１ｃｍ〜８ｃｍのエリアにほぼ等間隔で埋設され、その表面は突条部２３の上面とほぼ面一となっている。
また、穴２４は実施例１の穴８と同様に直径２ｍｍの円形状である。
【００２４】
電力量計の交換に際して実施例２の短絡防止カバーを使用する手順についても、実施例１の短絡防止カバーを使用する手順とほぼ同じであるが、板状体１が板状体２１になっている点と、手順（３）（７）（１３）（１７）において、板状体１の上縁面６を電力量計の上部筐体の下面１４に近づけ、永久磁石７の磁力により上縁面６を上部筐体の下面１４に吸着させるのに代えて、板状体２１の下縁部２２を電力量計の下部筐体の下面２５に近づけ、永久磁石７の磁力により突条部２３の上面を下部筐体の下面２５に吸着させる点と、手順（５）（９）（１５）（１９）において、上縁面６を上部筐体の下面１４から離すのに代えて、突条部２３の上面を下部筐体の下面２５から離す点が異なっている。
【００２５】
実施例１及び２の変形例を列記する。
（１）実施例１で示した板状体１、矩形状開口２〜４、凹部５、永久磁石７、穴８及び紐９の寸法や形状は一例であり、利用される可能性のある電力量計等に適した寸法や形状に変更したり、使い勝手や意匠性を考慮した寸法や形状に変更したりできることはいうまでもない。
また、実施例１においては、左右の矩形状開口２，４の横幅が中央の矩形状開口３の横幅に対して１．５６倍になっているが、利用される可能性のある電力量計等を限定できる場合には１．２倍以上あれば十分であり、現在よく使われている各種の電力量計等を対象とする場合でも１．５倍以上あれば良い。
なお、中央の矩形状開口３の横幅は９ｍｍであり、３つの矩形状開口は４ｍｍの間隔をもって並べてあるが、その横幅は利用される可能性のある電力量計等のうちで端子部の横幅が最も大きいものに合わせて決定し、その間隔は利用される可能性のある電力量計等のうちで端子部の間隔が最も小さいものに合わせて決定する。
【００２６】
（２）実施例１及び２においては、板状体１，２１を不透明な白色樹脂製としたが、透明でも白色以外の色でも良く、絶縁性があれば樹脂製に限らず、木製、セラミック製等どのような材料でも採用可能である。
また、寸法や形状の異なる複数種類の短絡防止カバーを用意する場合、種類ごとに板状体１，２１に施す色を変えても良い。
（３）実施例１及び２においては、凹部５、穴８，２４及び紐９を設けてあるが、これらは板状体１，２１を端子台の前面に一時的に保持させ、端子ねじを回す際の短絡事故を防止するために必須の構成ではないので、設けなくても良い。
（４）実施例１及び２においては、３つの矩形状開口２〜４を設けたが、２つの矩形状開口を設け、端子部が３つある場合には２つの端子部に対して作業した後、板状体１，２１の位置をずらして残る１つの端子部に対する作業を行うようにしても良い。
【００２７】
（５）実施例１及び２においては、永久磁石７として６個の円筒形ネオジウム磁石を用いたが、磁石の種類は何でも良く、個数も６個に限らず１個でも６個より多くても良い。
ただし、磁束密度が大きいと計器に影響を与えるおそれがあるので、磁石の数を少なくする場合には細長いものを用いて磁束密度を小さくした方が良い。
（６）実施例１においては永久磁石７を上縁面６に埋設し、実施例２においては永久磁石７を突条部２３の上面側に埋設したが、実施例１では上縁面６に代えて又は加えて下縁面に設けても良く、実施例２では突条部２３の上面側に加えて上縁面６に設けても良い。
また、実施例２においては、突条部２３を下縁部２２に沿って設けたが、上縁部に沿って突条部を設け永久磁石７をその突条部の下面側に設けるようにしても良い。
（７）実施例１においては永久磁石７を上縁面６に埋設したが、端子台の上部又は下部に鉛直面を含む金属部材がある場合には、永久磁石７を上縁部又は下縁部近傍の裏面側に設けても良く、上縁面６又は下縁面と上縁部又は下縁部近傍の裏面側の両方に設けても良い。
（８）実施例２においては、突条部２３を板状体２１と一体的に成型して形成したが、別途作成し下縁部の裏側に貼り合わせて形成しても良い。
【符号の説明】
【００２８】
１  板状体      ２〜４  矩形状開口      ５  凹部
６  上縁面      ７  永久磁石      ８  穴      ９  紐
１０  端子台      １１〜１３  端子部      １４  上部筐体の下面
１５  端子ねじ      １６  電線
２１  板状体      ２２  下縁部      ２３  突条部
２４  穴      ２５  下部筐体の下面
【要約】
【課題】  安価で単純な構造ながら使い勝手が良く、一部がなくなって使用不能になることのない短絡防止カバーを提供すること。
【解決手段】  ３つの縦長の矩形状開口を有する長方形の板状体１と、板状体１の上縁面６に埋設されている６個の永久磁石７を備え、各矩形状開口２〜４は縦長で、中央の矩形状開口３は端子部と同等の幅を有し、左右の矩形状開口２，４の幅は中央の矩形状開口３の幅よりかなり大きく設定されている。
また、板状体１には持ち易くするための凹部５が表面に設けられるとともに、作業終了後に板状体１を取り外し易くするための紐９が隅部に取り付けられている。
【選択図】  図１【図１】
0005913719.tif 000002
【図２】
0005913719.tif 000003
【図３】
0005913719.tif 000004
【図４】
0005913719.tif 000005
【図５】
0005913719.tif 000006
【図６】
0005913719.tif 000007
【図７】
0005913719.tif 000008
【図８】
0005913719.tif 000009
【図９】
0005913719.tif 000010